(57)【要約】【課題】各種の光ディスクの再生が可能なディスク装置を対象として、装置の故障を招くことなく、そのレンズを確実にクリーニングする。【解決手段】ディスク本体２と、ディスク本体２の記録面２ａに配設されたクリーニング部３とを備えたレンズクリーナ１であって、クリーニング部３は、記録面２ａからの突出長が長さＬ２（第１の長さ）のブラシ１１ｂ（第１の払拭体）と、記録面２ａからの突出長が長さＬ２よりも長い長さＬ１（第２の長さ）のブラシ１１ａ（第２の払拭体）とを備え、ディスク本体２は、記録面２ａにおけるブラシ１１ａの配設領域とレンズクリーナ１の回転方向における配設領域よりも下流側の領域とを含む領域に凹部５が形成されて構成され、凹部５は、配設領域の回転方向における下流側の端部と、凹部５の回転方向における下流側の縁部との間の回転方向に沿った長さＬ４が長さＬ１以上となるように形成されている。【選択図】図３
0003128359.tif 000002
【実用新案登録請求の範囲】
【請求項１】
ディスク本体と、当該ディスク本体の一面に配設されたクリーニング部とを備えたレンズクリーナであって、
前記クリーニング部は、前記一面からの突出長が第１の長さの第１の払拭体と、前記一面からの突出長が前記第１の長さよりも長い第２の長さの第２の払拭体とを備え、
前記ディスク本体は、前記一面における前記第２の払拭体の配設領域と当該レンズクリーナの回転方向における当該配設領域よりも下流側の領域とを含む領域に凹部が形成されて構成され、
前記凹部は、前記配設領域の前記回転方向における下流側の端部と、当該凹部の当該回転方向における下流側の縁部との間の当該回転方向に沿った長さが前記第２の長さ以上となるように形成されているレンズクリーナ。
【請求項２】
前記クリーニング部は、前記両払拭体が前記回転方向に沿って並んで配設されている請求項１記載のレンズクリーナ。
【請求項３】
前記クリーニング部は、１つの前記凹部の底面に前記両払拭体が配設されている請求項２記載のレンズクリーナ。
【請求項４】
前記クリーニング部は、前記回転方向における上流側に前記第１の払拭体が配設されると共に当該回転方向における下流側に前記第２の払拭体が配設されている請求項２または３記載のレンズクリーナ。
【請求項５】
前記クリーニング部は、前記回転方向において前記両払拭体が前記第１の長さ以上離間するように配設されている請求項４記載のレンズクリーナ。
【請求項６】
前記回転方向および前記ディスク本体の半径方向の両方向において相互に離間するように配設された複数の前記クリーニング部を備えて、当該半径方向に沿った長さが第３の長さのクリーニング対象体をクリーニング可能に構成され、
前記各クリーニング部は、前記回転方向において隣り合う２つの当該クリーニング部が当該回転方向において前記第２の長さ以上離間すると共に、当該各クリーニング部のうちの前記半径方向において最も離間している２つの当該クリーニング部における当該半径方向に沿った中心間距離が前記第３の長さ以下に規定されて配設されている請求項１から５のいずれかに記載のレンズクリーナ。
【請求項７】
前記クリーニング部は、複数の繊維を束ねたブラシを備えて前記両払拭体が構成されている請求項１から６のいずれかに記載のレンズクリーナ。
【請求項８】
前記クリーニング部は、前記ディスク本体を挿通させた前記各繊維の一端側を前記一面から突出させて前記両払拭体のうちの一方が構成されると共に当該ディスク本体を挿通させた当該各繊維の他端側を当該一面から突出させて当該両払拭体のうちの他方が構成されている請求項７記載のレンズクリーナ。
【請求項９】
前記クリーニング部は、布帛を備えて前記両払拭体が構成されている請求項１から６のいずれかに記載のレンズクリーナ。
【請求項１０】
前記クリーニング部は、前記両払拭体が前記布帛で一体形成されている請求項９記載のレンズクリーナ。
【考案の詳細な説明】
【技術分野】
【０００１】
本考案は、光ピックアップのレンズをクリーニングするレンズクリーナに関するものである。
【背景技術】
【０００２】
この種のレンズクリーナとして、ＣＤプレーヤのピックアップレンズ（以下、「レンズ」ともいう）をクリーニング可能に構成されたレンズクリーナが特公平６−１０３５４１号公報に開示されている。このレンズクリーナは、コンパクトディスクと実質的に同一形状のディスクと、このディスクにおける読み取り側盤面（信号記録面）に配設されたクリーニング部材とを備えて構成されている。また、クリーニング部材は、１０本程度の極細ブラシ毛を束ねたブラシ毛束を複数個備え、ディスクの信号記録面におけるリードインエリアの外側に隣接する外周エリア（信号記録領域）に各ブラシ毛束がディスクの回転方向および半径方向の双方において相互に離間するように配設されている。この場合、各ブラシ毛束は、各極細ブラシ毛のディスク表面からの突出長がディスクの全域において３ｍｍとなるように規定されている。これにより、例えばこのレンズクリーナをＣＤプレーヤにセットして再生処理を実行させることにより、ディスクの回転に伴って各ブラシ毛束がレンズに順次当接してレンズに付着している塵埃が払拭される。
【特許文献１】特公平６−１０３５４１号公報（第３−４頁、第１−５図）
【考案の開示】
【考案が解決しようとする課題】
【０００３】
ところが、従来のレンズクリーナには、以下の問題点がある。すなわち、従来のレンズクリーナでは、各極細ブラシ毛のディスク表面からの突出長がディスクの全域において（各ブラシ毛束のすべてにおいて）３ｍｍとなるように各ブラシ毛束が植設されている。一方、今日のディスク装置（再生装置および記録再生装置）は、ＣＤのみならず、ＤＶＤやＢＤ（Blu-ray Disc）等の各種の光ディスクの再生が可能に構成されている。この場合、この種のディスク装置では、ＣＤの再生時におけるワーキングディスタンス（ディスク表面とレンズ表面との間の距離）が２．０ｍｍ程度に規定されると共に、ＤＶＤの再生時におけるワーキングディスタンスが１．２ｍｍ〜１．７ｍｍ程度に規定されて。したがって、極細ブラシ毛の突出長がディスクの全域において３ｍｍとなるように構成された従来のレンズクリーナ（ＣＤ用のレンズクリーナ）を用いて、ＣＤのみの再生が可能なディスク装置と、ＣＤおよびＤＶＤの双方の再生が可能なディスク装置との両装置を対象として、そのレンズをクリーニングすることが可能となっている。
【０００４】
一方、ＢＤの再生時におけるワーキングディスタンスは、ＣＤおよびＤＶＤの再生時におけるワーキングディスタンスよりも小さい０．１ｍｍ〜０．４ｍｍ程度に規定されている。したがって、ＢＤの再生が可能なディスク装置に従来のレンズクリーナをセットしてディスクを回転させたときには、各極細ブラシ毛における基端部側（ディスクの表面側）がＢＤ用のピックアップにおけるレンズに当接する。この結果、各極細ブラシ毛が基端部から折り曲げられるようにして大きく倒れ込むため、各極細ブラシ毛の先端部をＢＤ再生用のレンズに当接させることが困難となる。このため、従来のレンズクリーナでは、ＢＤの再生が可能に構成されたディスク装置のレンズをクリーニングするのが困難となっている。また、ＢＤの再生時におけるワーキングディスタンスが上記のように非常に小さいため、レンズに当接して倒れ込んだ各極細ブラシ毛がディスクとレンズとの間に挟み込まれることに起因してディスクの回転が阻害されて回転機構の故障を招いたり、レンズに対してディスクの回転方向に沿った大きな力が加わることに起因してピックアップの故障を招いたりするおそれもある。
【０００５】
本考案は、かかる問題点に鑑みてなされたものであり、各種の光ディスクの再生が可能なディスク装置を対象として、装置の故障を招くことなく、そのレンズを確実にクリーニングし得るレンズクリーナを提供することを主目的とする。
【課題を解決するための手段】
【０００６】
上記目的を達成すべく本考案に係るレンズクリーナは、ディスク本体と、当該ディスク本体の一面に配設されたクリーニング部とを備えたレンズクリーナであって、前記クリーニング部は、前記一面からの突出長が第１の長さの第１の払拭体と、前記一面からの突出長が前記第１の長さよりも長い第２の長さの第２の払拭体とを備え、前記ディスク本体は、前記一面における前記第２の払拭体の配設領域と当該レンズクリーナの回転方向における当該配設領域よりも下流側の領域とを含む領域に凹部が形成されて構成され、前記凹部は、前記配設領域の前記回転方向における下流側の端部と、当該凹部の当該回転方向における下流側の縁部との間の当該回転方向に沿った長さが前記第２の長さ以上となるように形成されている。なお、本考案に係るレンズクリーナには、乾式レンズクリーナおよび湿式レンズクリーナの双方が含まれる。
【０００７】
また、本考案に係るレンズクリーナは、前記両払拭体が前記回転方向に沿って並んで配設されて前記クリーニング部が構成されている。
【０００８】
さらに、本考案に係るレンズクリーナは、１つの前記凹部の底面に前記両払拭体が配設されて前記クリーニング部が構成されている。
【０００９】
また、本考案に係るレンズクリーナは、前記回転方向における上流側に前記第１の払拭体が配設されると共に当該回転方向における下流側に前記第２の払拭体が配設されて前記クリーニング部が構成されている。
【００１０】
さらに、本考案に係るレンズクリーナは、前記回転方向において前記両払拭体が前記第１の長さ以上離間するように配設されて前記クリーニング部が構成されている。
【００１１】
また、本考案に係るレンズクリーナは、前記回転方向および前記ディスク本体の半径方向の両方向において相互に離間するように配設された複数の前記クリーニング部を備えて、当該半径方向に沿った長さが第３の長さのクリーニング対象体をクリーニング可能に構成され、前記回転方向において隣り合う２つの当該クリーニング部が当該回転方向において前記第２の長さ以上離間すると共に、当該各クリーニング部のうちの前記半径方向において最も離間している２つの当該クリーニング部における当該半径方向に沿った中心間距離が前記第３の長さ以下に規定されて配設されて前記各クリーニング部が構成されている。
【００１２】
さらに、本考案に係るレンズクリーナは、複数の繊維を束ねたブラシを備えて前記両払拭体が構成されて前記クリーニング部が構成されている。
【００１３】
また、本考案に係るレンズクリーナは、前記ディスク本体を挿通させた前記各繊維の一端側を前記一面から突出させて前記両払拭体のうちの一方が構成されると共に当該ディスク本体を挿通させた当該各繊維の他端側を当該一面から突出させて当該両払拭体のうちの他方が構成されて前記クリーニング部が構成されている。
【００１４】
さらに、本考案に係るレンズクリーナは、布帛を備えて前記両払拭体が構成されて前記クリーニング部が構成されている。なお、本考案における布帛には、織布および不織布の双方が含まれる。
【００１５】
また、本考案に係るレンズクリーナは、前記両払拭体が前記布帛で一体形成されて前記クリーニング部が構成されている。
【考案の効果】
【００１６】
本考案に係るレンズクリーナによれば、一面からの突出長が第１の長さの第１の払拭体と、一面からの突出長が第１の長さよりも長い第２の長さの第２の払拭体とを備えてクリーニング部を構成すると共に、一面における第２の払拭体の配設領域とレンズクリーナの回転方向における第２の払拭体の配設領域よりも下流側の領域とを含み、かつ、第２の払拭体の配設領域の回転方向における下流側の縁部と、その回転方向における下流側の縁部との間の回転方向に沿った長さが第２の長さ以上となるようにディスク本体に凹部を形成したことにより、ディスク本体の一面からの突出長が相違する第１の払拭体および第２の払拭体を備えたことでワーキングディスタンスが相違する２種類のレンズ（クリーニング対象体）を対象として、その表面に付着している塵埃を確実に除去することができる。また、第２の払拭体の配設領域および第２の払拭体の配設領域よりも下流側の領域を含んで凹部を形成したことで、クリーニング対象体等の当接に起因して第２の払拭体が倒れたときに第２の払拭体が凹部内に入り込む結果、ディスク本体とクリーニング対象体との間に第２の払拭体が挟み込まれる事態や、クリーニング対象体に対してレンズクリーナの回転方向に沿って大きな力が加わる事態を回避することができる。これにより、クリーニング時におけるディスク装置（回転機構やピックアップ）の破損を回避することができる。
【００１７】
また、本考案に係るレンズクリーナによれば、両払拭体を回転方向に沿って並べて配設したことにより、第１の払拭体および第２の払拭体がディスク本体の半径方向において点在するように配設した構成とは異なり、トラッキング制御信号等の読み取りが不能となる領域が存在するトラック数を十分に少なくすることができる。これにより、トラッキングエラー等が多発してレンズクリーナに対する再生処理が中断される事態を回避することができる。
【００１８】
さらに、本考案に係るレンズクリーナによれば、１つの凹部の底面に両払拭体を配設したことにより、第１の払拭体および第２の払拭体を別個の凹部内に配設する構成と比較して、第１の払拭体および第２の払拭体を回転方向において十分に接近させることができる。したがって、レンズクリーナの１回転当りにおけるトラッキング制御信号等の読み取りが不能となる領域を十分に狭く（短く）することができるため、トラッキングエラー等が多発してレンズクリーナに対する再生処理が中断される事態を回避することができる。また、例えば第２の払拭体のみを凹部の底面に配設する構成とは異なり、クリーニング対象体等の当接に起因して第１の払拭体が倒れたときに第１の払拭体が凹部内に入り込む結果、ディスク本体とクリーニング対象体との間に第１の払拭体が挟み込まれる事態や、クリーニング対象体に対してレンズクリーナの回転方向に沿って大きな力が加わる事態を回避することができる。これにより、クリーニング時におけるディスク装置（回転機構やピックアップ）の破損を回避することができる。
【００１９】
また、本考案に係るレンズクリーナによれば、回転方向における上流側に第１の払拭体を配設すると共に回転方向における下流側に第２の払拭体を配設したことにより、クリーニング対象体等の当接に起因して第２の払拭体が倒れたとしても、その先端部が第１の払拭体に当接する事態が回避される。したがって、第１の払拭体の先端部をクリーニング対象体の表面に確実に接触させることができる結果、クリーニング対象体の表面に付着した塵埃を確実に除去することができる。
【００２０】
さらに、本考案に係るレンズクリーナによれば、回転方向において両払拭体が第１の長さ以上離間するように配設したことにより、クリーニング対象体等の当接に起因して第１の払拭体が倒れたとしても、その先端部が第２の払拭体に当接する事態が回避される。したがって、第１の払拭体の先端部をクリーニング対象体の表面に確実に接触させることができる結果、クリーニング対象体の表面に付着した塵埃を確実に除去することができる。
【００２１】
また、本考案に係るレンズクリーナによれば、回転方向において隣り合う２つのクリーニング部を回転方向において第２の長さ以上離間させると共に、各クリーニング部のうちの半径方向において最も離間している２つのクリーニング部における半径方向に沿った中心間距離を第３の長さ以下に規定したことにより、クリーニング対象体に対して各クリーニング部の第１の払拭体および第２の払拭体を順次当接させて塵埃を払拭することができる。したがって、例えば、クリーニング対象体の半径方向に沿った長さと同程度の太さの大きなブラシを配設して、ディスク本体の一回転当りにこの大きなブラシをクリーニング対象体に１回当接させて塵埃を払拭する構成のレンズクリーナとは異なり、第１の払拭体および第２の払拭体を構成する束体の太さ（繊維の本数や、各繊維の太さ等）を十分に細くしたとしても、クリーニング対象体を確実にクリーニングすることができる。これにより、クリーニング時においてクリーニング対象体に加わる力を十分に小さくすることができるため、ピックアップの破損を好適に回避することができる。
【００２２】
さらに、本考案に係るレンズクリーナによれば、複数の繊維を束ねたブラシを備えて両払拭体を構成したことにより、例えば布帛（織布または不織布）で構成する払拭体と比較して、弾性復帰力を十分に大きくすることができるため、クリーニング対象体の表面に強固に付着している塵埃を確実に除去することができる。
【００２３】
また、本考案に係るレンズクリーナによれば、ディスク本体を挿通させた各繊維の一端側を一面から突出させて両払拭体のうちの一方を構成すると共にディスク本体を挿通させた各繊維の他端側を一面から突出させて両払拭体のうちの他方を構成したことにより、例えば第１の払拭体および第２の払拭体を別個の束体で構成する場合と比較して、ディスク本体からの第１の払拭体および第２の払拭体の抜けを好適に回避することができる。
【００２４】
さらに、本考案に係るレンズクリーナによれば、布帛を備えて両払拭体を構成したことにより、布帛を所望の形状に裁断してディスク本体に配設するだけで所望の突出長、および所望の幅の両払拭体を形成することができる。したがって、複数の繊維を束ねた束体によって第１の払拭体および第２の払拭体を形成する構成と比較して、所望の寸法の払拭体を容易に形成することができる。
【００２５】
また、本考案に係るレンズクリーナによれば、両払拭体を布帛で一体形成したことにより、ブラシを別個の布帛で形成するタイプのレンズクリーナと比較して、ディスク本体に対する１回の取り付け作業によって両払拭体の取り付けを完了できるため、レンズクリーナの製造に要する時間を十分に短縮することができる。
【考案を実施するための最良の形態】
【００２６】
以下、本考案に係るレンズクリーナの最良の形態について、添付図面を参照して説明する。
【００２７】
最初に、レンズクリーナ１の構成について、図面を参照して説明する。
【００２８】
図１に示すレンズクリーナ１は、本考案に係るレンズクリーナの一例である乾式のレンズクリーナであって、同図および図３に示すように、ディスク本体２とクリーニング部３ａ〜３ｃ（以下、区別しないときには、「クリーニング部３」ともいう）とを備えてレンズ９ａ，９ｂ（図３参照）をクリーニング可能に構成されている。この場合、レンズ９ａ，９ｂは本考案におけるクリーニング対象の一例であって、ディスク装置（再生装置、または記録再生装置：図示せず）のピックアップに配設されている。この場合、実際には、レンズ９ａ，９ｂの周囲にレンズプロテクタ等が配設されているが、本考案についての理解を容易とするために、このプロテクタについての説明および図示を省略する。なお、上記のディスク装置としては、複数種類存在する。例えば、ＣＤ、ＤＶＤおよびＢＤの３種類の光ディスク（ディスク状情報媒体）の再生が可能なタイプのディスク装置として、１つのピックアップにＣＤおよびＤＶＤの再生時に使用されるレンズ９ａが配設されると共に他の１つのピックアップにＢＤの再生時に使用されるレンズ９ｂが配設された「２ピック・２レンズタイプ」のディスク装置と、１つのピックアップにレンズ９ａ，９ｂの双方が配設された「１ピック・２レンズタイプ」のディスク装置とが存在する。
【００２９】
一方、図１に示すように、ディスク本体２は、上記のディスク装置において使用される各種の光ディスク（この例では、ＣＤ、ＤＶＤおよびＢＤ）とほぼ同じ直径（一例として、１２０ｍｍ程度）で、かつほぼ同じ厚み（一例として、１．２ｍｍ程度）の円板状に形成されている。また、ディスク本体２の中心部には、上記の各種光ディスクと同様にして、レンズクリーナ１をディスク装置にクランピングさせるための直径１５ｍｍ程度の中心孔２ｃが形成されている。この場合、このレンズクリーナ１では、一例として、片面１層タイプのＤＶＤと同様にして０．６ｍｍ程度の薄厚基板を貼り合わせてディスク本体２が構成されている。また、薄厚基板の間（ディスク本体２における厚み方向の中央部）には、ディスク本体２の一面（図３における下面：以下、この面を「記録面２ａ」ともいう）の側からの読み出しが可能に、ディスク装置に対してレンズクリーナ１をＤＶＤであることを認識させるＴＯＣ（Table Of Contents ）情報等が記録されている。なお、このレンズクリーナ１では、ディスク本体２の中心部に規定されたクランピングエリア２ｄの外側に隣接する環状エリア２ｅ（図１参照）に上記の各種情報が記録されている。また、ディスク本体２の他面（図３における上面：以下、この面を「レーベル面２ｂ」ともいう）には、図示はしないが、例えば、レンズクリーナ１の使用方法等を示す文字が印刷（表記）されている。
【００３０】
さらに、図１に示すように、環状エリア２ｅの外側に隣接する外周領域２ｆ（通常のＤＶＤ等において記録データが記録されている領域）の記録面２ａには、本考案における凹部に相当する複数の凹部５が形成されている。また、図３に示すように、各凹部５の底面には、記録面２ａとレーベル面２ｂとの間でディスク本体２を貫通するようにして複数の貫通孔６が形成されている。この場合、図２に示すように、各凹部５は、クリーニング部３（後述するブラシ１１ａ，１１ｂ）の配設領域と、レンズクリーナ１の回転方向（同図に示す矢印Ｒ１の向き）におけるクリーニング部３の配設領域よりも下流側の領域（同図においてクリーニング部３よりも左側の領域）とを含む領域において長溝状に形成されている。また、図３に示すように、各凹部５は、クリーニング部３を構成するブラシ１１ａの基端部（本考案における配設領域）からディスク本体２の回転方向（矢印Ｒ１の向き）における下流側の縁部までの回転方向に沿った長さＬ４がブラシ１１ａの記録面２ａからの突出長以上（同図における長さＬ１以上：一例として、２．０ｍｍ）となるように形成されている。なお、記録面２ａにおける凹部５の形成位置については、後に詳細に説明する。
【００３１】
一方、図３に示すように、クリーニング部３は、本考案における第２の払拭体に相当するブラシ１１ａと、本考案における第１の払拭体に相当するブラシ１１ｂとがディスク本体２の記録面２ａ（凹部５の底面）に配設されて構成されている。この場合、このレンズクリーナ１では、合成樹脂製の繊維を束ねた束体１１によって両ブラシ１１ａ，１１ｂが構成されている。具体的には、束体１１における一端側がディスク本体２を挿通させられて（貫通孔６を貫通させられて）記録面２ａから突出させられることでブラシ１１ａが構成されると共に、束体１１における他端側がディスク本体２を挿通させられて（貫通孔６を貫通させられて）記録面２ａから突出させられることでブラシ１１ｂが構成され、かつ、束体１１の長手方向中央部がディスク本体２のレーベル面２ｂに固定用シール１２によって固定されて１つのクリーニング部３が構成されている。これにより、ブラシ１１ａ，１１ｂを別個独立してディスク本体２に植設する構成と比較して、ディスク本体２からの各繊維の抜けを好適に回避することが可能となっている。
【００３２】
また、このレンズクリーナ１では、ブラシ１１ａの記録面２ａからの突出長（図３における長さＬ１）が１．８ｍｍ以上２．７ｍｍ以下の範囲内（本考案における第２の長さ：一例として、２．０ｍｍ）で、ブラシ１１ｂの記録面２ａからの突出長（図３における長さＬ２）が０．４ｍｍ以上０．６ｍｍ以下の範囲内（本考案における第１の長さ：一例として、０．５ｍｍ）となるように製造されている。この場合、束体１１（ブラシ１１ａ，１１ｂ）を構成する合成樹脂製の繊維としては、一例として、エチレンビニルアルコールやポリエステル等の各種樹脂材料で形成された繊維を採用することができる。また、各繊維の太さや、１つの束体１１を構成する繊維の本数については、特に限定されないが、このレンズクリーナ１では、一例として、直径５μｍ程度のポリエステル製の繊維を２００本程度束ねて上記の束体１１（ブラシ１１ａ，１１ｂ）が構成されている。
【００３３】
さらに、図２に示すように、このレンズクリーナ１では、両ブラシ１１ａ，１１ｂがディスク本体２の回転方向（矢印Ｒ１の向き）に沿って並んで１つの凹部５の底面に配設されて１つのクリーニング部３が構成されている。具体的には、凹部５の底面における回転方向の上流側（同図における右側）にブラシ１１ｂが配設されると共に凹部５の底面における回転方向の下流側（同図における左側）にブラシ１１ａが配設され、かつ、図３に示すように、両ブラシ１１ａ，１１ｂが回転方向において長さＬ３（本考案における「第１の長さ以上」の長さ：一例として、０．５ｍｍ）だけ離間するように配設されている。
【００３４】
この場合、図２に示すように、このレンズクリーナ１では、回転方向（同図における左右方向）において隣り合うクリーニング部３ａ，３ｂが回転方向においてブラシ１１ａの突出長（図３に示す長さＬ１）以上の距離Ｌ６（一例として、１０ｍｍ程度）だけ離間すると共に、回転方向において隣り合うクリーニング部３ｂ，３ｃが回転方向において距離Ｌ６だけ離間するように各凹部５が記録面２ａに形成されている。また、ディスク本体２の半径方向（同図における上下方向）において隣り合うクリーニング部３ａ，３ｂの半径方向に沿った距離Ｌ７、および半径方向において隣り合うクリーニング部３ｂ，３ｃの半径方向に沿った距離Ｌ７（本考案における「中心間距離」：一例として、１ｍｍ程度）がレンズ９ａ，９ｂの直径Ｌ５（本考案における「クリーニング対象体における半径方向に沿った長さ」：一例として、３．５ｍｍ）以下の距離となるように各凹部５が記録面２ａに形成されている。
【００３５】
さらに、このレンズクリーナ１では、クリーニング部３ａ〜３ｃのうちの最内周部に配設されたクリーニング部３ａと、最外周部に配設されたクリーニング部３ｃとの半径方向に沿った中心間距離（ディスク本体２の半径方向において最も離間しているクリーニング部３ａ，３ｃの中心間距離）、すなわち、上記のＬ７の２倍の距離がレンズ９ａ，９ｂの直径Ｌ５以下に規定されている。これにより、このレンズクリーナ１では、後述するようにしてレンズクリーナ１が１回転させられる間において、クリーニング部３ａがレンズ９ａ（またはレンズ９ｂ）の内周側の幅Ｌ８の部分（内周側の約１／３の部分）をクリーニングし、クリーニング部３ｂがレンズ９ａ（またはレンズ９ｂ）の半径方向中央部の幅Ｌ８の部分（中央部の約１／３の部分）をクリーニングし、クリーニング部３ｃがレンズ９ａ（またはレンズ９ｂ）の外周側の幅Ｌ８の部分（外周側の約１／３の部分）をクリーニングする。
【００３６】
次に、レンズクリーナ１を用いて、ディスク装置（図示せず）における光ピックアップのレンズ９ａ，９ｂ（図３〜５参照）をクリーニングする方法について、図面を参照して説明する。
【００３７】
まず、通常のＤＶＤをセットする際と同様にして、記録面２ａをピックアップ（レンズ９ａ，９ｂ）に対向させるようにしてレンズクリーナ１をディスク装置にセットする。次いで、ディスク装置に対して再生処理を実行させる。これに応じて、ディスク装置が、レンズクリーナ１の環状エリア２ｅに記録されているＴＯＣ情報を読み出し、レンズクリーナ１がＤＶＤであると認識して再生処理を継続する。この際には、レンズクリーナ１の回転に伴い、光ピックアップは、外周領域２ｆの最内周部まで移動させられると共に、レンズクリーナ１の周方向に沿って図２，３に示す矢印Ｒ２の向きでレンズクリーナ１に対して相対的に移動する。
【００３８】
この場合、ＤＶＤの再生時におけるワーキングディスタンスは、前述したように１．２ｍｍ〜１．７ｍｍ程度に規定されている。このため、レンズクリーナ１の回転に伴ってレンズ９ａがクリーニング部３ａの部位に移動した際には、まず、レンズ９ａの角部がブラシ１１ａの先端部側に当接し、その状態においてレンズクリーナ１がさらに回転させられることにより、図４に示すように、クリーニング部３ａのブラシ１１ａがレンズクリーナ１の回転方向（矢印Ｒ１の向き）における下流側に向かって撓まされるようにして各毛先がレンズ９ａの表面に押し付けられる。これにより、レンズ９ａの表面に付着している塵埃のうち、レンズ９ａの内周側の１／３（図２における内周側の幅Ｌ８）の部分に付着している塵埃が払拭される。
【００３９】
また、レンズクリーナ１がさらに回転させられることによってレンズ９ａがクリーニング部３ｂの部位に移動した際には、クリーニング部３ｂのブラシ１１ａがレンズクリーナ１の回転方向における下流側に向かって撓まされるようにして各毛先がレンズ９ａの表面に押し付けられる。これにより、レンズ９ａの表面に付着している塵埃のうち、レンズ９ａの中央部の１／３（図２における中央部の幅Ｌ８）の部分に付着している塵埃が払拭される。さらに、レンズ９ａがクリーニング部３ｃの部位に移動した際には、クリーニング部３ｃのブラシ１１ａがレンズクリーナ１の回転方向における下流側に向かって撓まされるようにして各毛先がレンズ９ａの表面に押し付けられる。これにより、レンズ９ａの表面に付着している塵埃のうち、レンズ９ａの外周部の１／３（図２における外周部の幅Ｌ８）の部分に付着している塵埃が払拭される。
【００４０】
なお、本考案についての理解を容易とするために、クリーニング部３ｂの半径方向における中心とレンズ９ａにおける半径方向の中心とが一致した状態における各クリーニング部３ａ〜３ｃの動作について説明したが、実際には、再生処理時においてピックアップ（レンズ９ａ）がレンズクリーナ１の内周側から外周側に向けてシーク動作するのに伴い、最初にクリーニング部３ａのみによってレンズ９ａの外周側がクリーニングされ、ピックアップのシーク動作によってクリーニング部３ｂの半径方向における中心とレンズ９ａにおける半径方向の中心とが一致した状態においては、上記の説明のように各クリーニング部３ａ〜３ｃによるクリーニングが行われる。さらに、ピックアップのシーク動作によってレンズ９ａがさらに外周側に移動したときには、クリーニング部３ｃのみによってレンズ９ａの内周側がクリーニングされる。このように、レンズクリーナ１では、レンズクリーナ１が複数回に亘って回転する間において、各クリーニング部３ａ〜３ｃのうちのいずれか、またはすべてによってレンズ９ａのクリーニングが行われる。
【００４１】
一方、このレンズクリーナ１では、クリーニング部３ａ〜３ｃによるレンズ９ａのクリーニングと並行してレンズ９ｂのクリーニングが行われる。具体的には、レンズクリーナ１の回転に伴ってレンズ９ｂがクリーニング部３ａの部位に移動した際には、まず、レンズ９ｂの角部がブラシ１１ｂの先端部側に当接し、その状態においてレンズクリーナ１がさらに回転させられることにより、図５に示すように、クリーニング部３ａのブラシ１１ｂがレンズクリーナ１の回転方向（矢印Ｒ１の向き）における下流側に向かって撓まされるようにして各毛先がレンズ９ｂの表面に押し付けられる。これにより、レンズ９ｂの表面に付着している塵埃のうち、レンズ９ｂの内周側の１／３（図２における内周側の幅Ｌ８）の部分に付着している塵埃が払拭される。
【００４２】
また、レンズクリーナ１がさらに回転させられた際には、レンズ９ｂの角部がブラシ１１ａの基端部側に当接し、その状態においてレンズクリーナ１がさらに回転させられることにより、同図に示すように、クリーニング部３ａのブラシ１１ａがレンズクリーナ１の回転方向（矢印Ｒ１の向き）における下流側に向かって折り曲げられるようにして倒れ込む。この際に、このレンズクリーナ１では、前述したように、レンズクリーナ１の回転方向におけるブラシ１１ａの下流側にブラシ１１ａの突出長よりも長さが長い凹部５が形成されている。したがって、レンズ９ｂの当接に起因して倒れたブラシ１１ａが凹部５内に入り込む結果、ブラシ１１ａがディスク本体２とレンズ９ｂとの間に挟み込まれてレンズクリーナ１の回転が阻害される事態や、レンズ９ｂに対してレンズクリーナ１の回転方向に沿った大きな力が加わる事態が回避される。
【００４３】
この際に、例えばディスク装置に加えられた振動に起因してレンズ９ｂがディスク本体２の記録面２ａの極く近くに接近させられたとき（規定されているワーキングディスタンスよりも記録面２ａの表面とレンズ９ｂの表面とが接近したとき）には、ブラシ１１ａのみならず、ブラシ１１ｂも基端部側から折り曲げられるようにして回転方向の下流側に向かって倒れ込む。この場合、このレンズクリーナ１では、ブラシ１１ａ，１１ｂの間に長さＬ３の隙間が設けられているため、倒れ込んだブラシ１１ｂがブラシ１１ａに当接して倒れ込みが阻害される事態が回避される。また、このレンズクリーナ１では、ブラシ１１ａ，１１ｂの双方が凹部５の底面に配設されているため、レンズ９ｂの当接に起因して倒れたブラシ１１ｂがブラシ１１ａと同様にして凹部５内に入り込む。この結果、ブラシ１１ｂがディスク本体２とレンズ９ｂとの間に挟み込まれてレンズクリーナ１の回転が阻害される事態や、レンズ９ｂに対してレンズクリーナ１の回転方向に沿った大きな力が加わる事態が回避される。
【００４４】
また、レンズクリーナ１がさらに回転させられることによってレンズ９ｂがクリーニング部３ｂの部位に移動した際には、クリーニング部３ｂのブラシ１１ｂがレンズクリーナ１の回転方向における下流側に向かって撓まされるようにして各毛先がレンズ９ｂの表面に押し付けられる。これにより、レンズ９ｂの表面に付着している塵埃のうち、レンズ９ｂの中央部の１／３（図２における中央部の幅Ｌ８）の部分に付着している塵埃が払拭される。また、レンズクリーナ１がさらに回転させられた際には、レンズ９ｂの角部がブラシ１１ａの基端部側に当接し、その状態においてレンズクリーナ１がさらに回転させられることにより、クリーニング部３ｂのブラシ１１ａがレンズクリーナ１の回転方向における下流側に向かって折り曲げられるようにして倒れ込む。この際には、倒れたブラシ１１ａが凹部５内に入り込む。
【００４５】
さらに、レンズ９ｂがクリーニング部３ｃの部位に移動した際には、クリーニング部３ｃのブラシ１１ｂがレンズクリーナ１の回転方向における下流側に向かって撓まされるようにして各毛先がレンズ９ｂの表面に押し付けられる。これにより、レンズ９ｂの表面に付着している塵埃のうち、レンズ９ｂの外周部の１／３（図２における外周部の幅Ｌ８）の部分に付着している塵埃が払拭される。また、レンズクリーナ１がさらに回転させられた際には、レンズ９ｂの角部がブラシ１１ａの基端部側に当接し、その状態においてレンズクリーナ１がさらに回転させられることにより、クリーニング部３ｃのブラシ１１ａがレンズクリーナ１の回転方向における下流側に向かって折り曲げられるようにして倒れ込む。この際には、倒れたブラシ１１ａが凹部５内に入り込む。
【００４６】
なお、本考案についての理解を容易とするために、クリーニング部３ｂの半径方向における中心とレンズ９ｂにおける半径方向の中心とが一致した状態におけるクリーニング部３ａ〜３ｃの動作について説明したが、実際には、再生処理時においてピックアップ（レンズ９ｂ）がレンズクリーナ１の内周側から外周側に向けてシーク動作するのに伴い、最初にクリーニング部３ａのみによってレンズ９ｂの外周側がクリーニングされ、ピックアップのシーク動作によってクリーニング部３ｂの半径方向における中心とレンズ９ｂにおける半径方向の中心とが一致した状態においては、上記の説明のように各クリーニング部３ａ〜３ｃによるクリーニングが行われる。さらに、ピックアップのシーク動作によってレンズ９ｂがさらに外周側に移動したときには、クリーニング部３ｃのみによってレンズ９ｂの内周側がクリーニングされる。このように、レンズクリーナ１では、レンズクリーナ１が複数回に亘って回転する間において、各クリーニング部３ａ〜３ｃのうちのいずれか、またはすべてによってレンズ９ｂのクリーニングが行われる。
【００４７】
この後、クリーニング部３ａ〜３ｃによるレンズ９ａ，９ｂのクリーニングが完了したとき（両ピックアップが外周領域２ｆにおけるクリーニング部３ａ〜３ｃが配設されている部位よりもさらに外周まで移動したとき）には、一例として、「クリーニングが終了しました」とのメッセージが再生されて音声または映像によって報知される。これに応じて、ディスク装置に対して停止操作を行うことにより、ディスク装置が、光ピックアップを制御して、光ピックアップを初期状態の位置に移動させた後に、回転機構を制御して、レンズクリーナ１の回転を停止させる。これにより、レンズ９ａ，９ｂに対するクリーニングが完了すると共に、レンズクリーナ１をディスク装置から取り出し可能な状態となる。
【００４８】
このように、このレンズクリーナ１によれば、ディスク本体２の記録面２ａからの突出長が長さＬ２（本考案における第１の長さ）のブラシ１１ｂと、記録面２ａからの突出長が長さＬ２よりも長い長さＬ１（本考案における第２の長さ）のブラシ１１ａとを備えてクリーニング部３ａ〜３ｃを構成すると共に、記録面２ａにおけるブラシ１１ａの配設領域とレンズクリーナ１の回転方向におけるブラシ１１ａの配設領域よりも下流側の領域とを含み、かつ、ブラシ１１ａの配設領域の回転方向における下流側の端部と、その回転方向における下流側の縁部までの回転方向に沿った長さＬ４が上記の長さＬ１以上となるようにディスク本体２に凹部５を形成したことにより、記録面２ａからの突出長が相違するブラシ１１ａ，１１ｂを備えたことでワーキングディスタンスが相違する２種類のレンズ９ａ，９ｂを対象として、その表面に付着している塵埃を確実に除去することができる。また、ブラシ１１ａの配設領域およびブラシ１１ａの配設領域よりも下流側の領域を含んで凹部５を形成したことで、レンズ９ｂ等の当接に起因してブラシ１１ａが倒れたときにブラシ１１ａが凹部５内に入り込む結果、ディスク本体２とレンズ９ｂとの間にブラシ１１ａが挟み込まれる事態や、レンズ９ｂに対してレンズクリーナ１の回転方向に沿って大きな力が加わる事態を回避することができる。これにより、レンズ９ａ，９ｂのクリーニング時におけるディスク装置（回転機構やピックアップ）の破損を回避することができる。
【００４９】
また、このレンズクリーナ１によれば、ブラシ１１ａ，１１ｂをレンズクリーナ１の回転方向に沿って並べて配設したことにより、ブラシ１１ａ，１１ｂがディスク本体２の半径方向において点在するように配設した構成とは異なり、トラッキング制御信号等の読み取りが不能となる領域が存在するトラック数を十分に少なくすることができる。これにより、トラッキングエラー等が多発してレンズクリーナ１に対する再生処理が中断される事態を回避することができる。
【００５０】
さらに、このレンズクリーナ１によれば、１つの凹部５の底面にブラシ１１ａ，１１ｂを配設したことにより、ブラシ１１ａ，１１ｂを別個の凹部内に配設する構成と比較して、両ブラシ１１ａ，１１ｂを回転方向において十分に接近させることができる。したがって、レンズクリーナ１の１回転当りにおけるトラッキング制御信号等の読み取りが不能となる領域を十分に狭く（短く）することができるため、トラッキングエラー等が多発してレンズクリーナ１に対する再生処理が中断される事態を回避することができる。また、例えばブラシ１１ａのみを凹部５の底面に配設する構成とは異なり、レンズ９ｂ等の当接に起因してブラシ１１ｂが倒れたときにブラシ１１ｂが凹部５内に入り込む結果、ディスク本体２とレンズ９ｂとの間にブラシ１１ｂが挟み込まれる事態や、レンズ９ｂに対してレンズクリーナ１の回転方向に沿って大きな力が加わる事態を回避することができる。これにより、レンズ９ａ，９ｂのクリーニング時におけるディスク装置（回転機構やピックアップ）の破損を回避することができる。
【００５１】
また、このレンズクリーナ１によれば、レンズクリーナ１の回転方向における上流側にブラシ１１ｂを配設すると共に回転方向における下流側にブラシ１１ａを配設したことにより、レンズ９ｂ等の当接に起因してブラシ１１ａが倒れたとしても、その先端部がブラシ１１ｂに当接する事態が回避される。したがって、ブラシ１１ｂの先端部をレンズ９ｂの表面に確実に接触させることができる結果、レンズ９ｂの表面に付着した塵埃を確実に除去することができる。
【００５２】
さらに、このレンズクリーナ１によれば、レンズクリーナ１の回転方向においてブラシ１１ａ，１１ｂが長さＬ２（本考案における第１の長さ）以上の長さＬ３だけ離間するように配設したことにより、レンズ９ｂ等の当接に起因してブラシ１１ｂが倒れたとしても、その先端部がブラシ１１ａに当接する事態が回避される。したがって、ブラシ１１ｂの先端部をレンズ９ｂの表面に確実に接触させることができる結果、レンズ９ｂの表面に付着した塵埃を確実に除去することができる。
【００５３】
また、このレンズクリーナ１によれば、レンズクリーナ１の回転方向において隣り合う２つのクリーニング部３ａ，３ｂ（３ｂ，３ｃ）を回転方向において長さＬ１（本考案における第２の長さ）以上の一例である距離Ｌ６だけ離間させると共に、各クリーニング部３ａ〜３ｃのうちの半径方向において最も離間している２つのクリーニング部３ａ，３ｃにおける半径方向に沿った中心間距離（この例では、距離Ｌ７の２倍の距離）を本考案における第３の長さ（この例では、レンズ９ａ，９ｂの直径Ｌ５）以下に規定したことにより、レンズ９ａ，９ｂに対して各クリーニング部３ａ〜３ｃの各ブラシ１１ａ，１１ｂを順次当接させて塵埃を払拭することができる。したがって、例えば、レンズ９ａ，９ｂの直径Ｌ５と同程度の太さの大きなブラシを配設して、ディスク本体２の一回転当りにこの大きなブラシをレンズ９ａ，９ｂに１回当接させて塵埃を払拭する構成のレンズクリーナとは異なり、各ブラシ１１ａ，１１ｂを構成する束体１１の太さ（繊維の本数や、各繊維の太さ等）を十分に細くしたとしても、レンズ９ａ，９ｂを確実にクリーニングすることができる。これにより、クリーニング時においてレンズ９ｂに加わる力を十分に小さくすることができるため、ピックアップの破損を好適に回避することができる。
【００５４】
さらに、このレンズクリーナ１によれば、複数の繊維を束ねたブラシ１１ａ，１１ｂ（束体１１）を備えて本考案における両払拭体を構成したことにより、例えば布帛（織布または不織布）で構成する払拭体と比較して、弾性復帰力を十分に大きくすることができるため、レンズ９ａ，９ｂの表面に強固に付着している塵埃を確実に除去することができる。
【００５５】
また、このレンズクリーナ１によれば、ディスク本体２を挿通させた各繊維（束体１１）の一端側を記録面２ａから突出させてブラシ１１ａ（両払拭体のうちの一方）を構成すると共にディスク本体２を挿通させた各繊維（束体１１）の他端側を記録面２ａから突出させてブラシ１１ｂ（両払拭体のうちの他方）を構成したことにより、例えば両ブラシ１１ａ，１１ｂを別個の束体で構成する場合と比較して、ディスク本体２からのブラシ１１ａ，１１ｂの抜けを好適に回避することができる。
【００５６】
なお、本考案は上記の構成に限定されない。例えば、束体１１の一端側を記録面２ａから突出させてブラシ１１ａを構成すると共に束体１１の他端側を記録面２ａから突出させてブラシ１１ｂを構成したレンズクリーナ１について説明したが、本考案に係るレンズクリーナの構成はこれに限定されず、例えば、図６に示すレンズクリーナ１Ａのように、各々別個独立した束体によって本考案における第２の払拭体に相当するブラシ４１ａと、本考案における第１の払拭体に相当するブラシ４１ｂとを形成してクリーニング部２３を構成することができる。なお、同図に示すレンズクリーナ１Ａ、および後に説明するレンズクリーナ１Ｂ〜１Ｄにおいて、上記のレンズクリーナ１と共通する構成要素については、同一の符号を付して重複する説明を省略する。
【００５７】
このレンズクリーナ１Ａのように本考案における両払拭体を別個独立して異なる束体で構成することにより、各束体を構成する繊維の長さを適宜規定して束体を形成することで、ブラシ４１ａの記録面２ａからの突出長（長さＬ１）と、ブラシ４１ｂの記録面２ａからの突出長（長さＬ２）とを確実かつ容易に所望の寸法にすることができる。また、上記のレンズクリーナ１，１Ａでは、ブラシ１１ａ，１１ｂ（４１ａ，４１ｂ）を固定用シール１２によってディスク本体２に固定する構成を採用しているが、本考案における両払拭体をディスク本体に固定する構成はこれに限定されない。具体的には、一例として、接着剤を用いて両払拭体をディスク本体に固定する構成や、貫通孔６に束体を圧入して固定する構成などを採用することができる。
【００５８】
さらに、合成樹脂製の繊維を束ねたブラシ１１ａ，１１ｂ（４１ａ，４１ｂ）を本考案における両払拭体として備えたレンズクリーナ１，１Ａについて説明したが、本考案における両払拭体の構成はこれに限定されない。例えば、図７，８に示すレンズクリーナ１Ｂのように、織布６１（本考案における布帛の一例）で形成したブラシ６１ａ（本考案における第２の払拭体）およびブラシ６１ｂ（本考案における第１の払拭体）を備えてクリーニング部５３を構成することもできる。また、図９に示すレンズクリーナ１Ｃのように、織布７１（本考案における布帛の一例）で形成したブラシ７１ａ（本考案における第２の払拭体）およびブラシ７１ｂ（本考案における第１の払拭体）を備えてクリーニング部５３Ａを構成することもできる。さらに、図１０に示すレンズクリーナ１Ｄのように、織布８１（本考案における布帛の一例）で形成したブラシ８１ａ（本考案における第２の払拭体）およびブラシ８１ｂ（本考案における第１の払拭体）を備えてクリーニング部５３Ｂを構成することもできる。なお、上記の織布６１、７１，８１としては、一例として、ポリエステルやエチレンビニルアルコール等の各種樹脂材料で形成した織布を採用することができる。
【００５９】
この場合、図７に示すように、レンズクリーナ１Ｂでは、所定形状に裁断した織布６１の一端部（同図における上端部）をディスク本体２に形成された凹部５の底面に例えば接着剤によって固定すると共に、織布６１において凹部５の底面から突出している部位の横糸を除去することで織布６１の縦糸によってブラシ６１ａ，６１ｂが構成されている。また、図９に示すように、レンズクリーナ１Ｃでは、所定形状に裁断した２枚の織布７１の各々の一端部（同図における上端部）をディスク本体２に形成された凹部５の底面に例えば接着剤によって固定すると共に、両織布７１において凹部５の底面から突出している部位の横糸を除去することで織布７１の縦糸によってブラシ７１ａ，７１ｂが構成されている。さらに、図１０に示すように、レンズクリーナ１Ｃでは、所定形状に裁断した織布８１の一端部（同図における上端部）をディスク本体２に形成された凹部５の底面に例えば接着剤によって固定すると共に、織布８１において凹部５の底面から突出している部位の横糸を除去することで織布８１の縦糸によってブラシ８１ａ，８１ｂが構成されている。なお、レンズクリーナ１Ｂ〜１Ｄでは、レンズクリーナ１におけるディスク本体２の貫通孔６に代えて、織布６１，７１，８１を取り付けるための取付溝７が凹部５の底面に形成されている。
【００６０】
このように、このレンズクリーナ１Ｂ〜１Ｄによれば、織布６１，７１，８１（布帛の一例）を備えて本考案に係る両払拭体を構成したことにより、織布６１，７１，８１を所望の形状に裁断してディスク本体２に配設するだけで所望の突出長、および所望の幅の両払拭体を形成することができる。したがって、複数の繊維を束ねた束体１１によってブラシ１１ａ，１１ｂを形成する構成と比較して、所望の寸法の払拭体を容易に形成することができる。
【００６１】
また、このレンズクリーナ１Ｂ，１Ｄによれば、ブラシ６１ａ，６１ｂ（８１ａ，８１ｂ）を織布６１，８１で一体形成したことにより、ブラシ７１ａ，７１ｂを別個の織布７１で形成するレンズクリーナ１Ｃと比較して、ディスク本体２に対する１回の取り付け作業によって両ブラシ６１ａ，６１ｂ（８１ａ，８１ｂ）の取り付けを完了できるため、レンズクリーナ１Ｂ，１Ｄの製造に要する時間を十分に短縮することができる。
【００６２】
なお、上記のクリーニング部５３，５３Ａ，５３Ｂは、一枚の薄い織布６１，７１，８１を用いて形成することでクリーニング部３の軽量化を図っているが、光ピックアップに与える衝撃が許容し得る範囲内であれば、一枚の厚い織布や、所定の厚みの織布を複数枚重ねてクリーニング部５３，５３Ａ，５３Ｂを構成することもできる。また、織布に代えて不織布（一例として、クラレ社製の商品名「ソフィスタ（登録商標）」）で本考案における両払拭体を形成してクリーニング部を構成することができる。
【００６３】
また、上記のレンズクリーナ１Ｂ〜１Ｄでは、前述したレンズクリーナ１と同様にして、本考案における第２の払拭体に相当するブラシ６１ａ，７１ａ，８１ａの記録面２ａからの突出長（長さＬ１）が、本考案における第１の払拭体に相当するブラシ６１ｂ，７１ｂ，８１ｂの記録面２ａからの突出長（長さＬ２）よりも長くなるようにクリーニング部５３，５３Ａ，５３Ｂが構成されている。さらに、レンズクリーナ１Ｂ〜１Ｄでは、前述したレンズクリーナ１と同様にして、回転方向におけるブラシ６１ａ，７１ａ，８１ａの配設領域からその下流側にかけて凹部５が形成されている。したがって、このレンズクリーナ１Ｂ〜１Ｄによってディスク装置をクリーニングする際には、前述したレンズクリーナ１と同様にして、レンズ９ｂの当接に起因して倒れたブラシ６１ａ，７１ａ８１ａが凹部５内に入り込む結果、ブラシ６１ａ，７１ａ，８１ａがディスク本体２とレンズ９ｂとの間に挟み込まれてレンズクリーナ１の回転が阻害される事態や、レンズ９ｂに対してレンズクリーナ１Ｂ〜１Ｄの回転方向に沿った大きな力が加わる事態が回避される。
【００６４】
また、上記のレンズクリーナ１Ｂ，１Ｃでは、ブラシ６１ａ，７１ａとブラシ６１ｂ，７１ｂとを長さＬ３ａだけ離間させて配設している。したがって、前述したレンズクリーナ１と同様にして、レンズ９ｂ等がディスク本体２の記録面２ａに対して極く近くまで接近した場合において、ブラシ６１ｂ，７１ｂがブラシ６１ａ，７１ａに接触して倒れ込みが阻害される事態が回避される。これにより、このレンズクリーナ１Ｂ，１Ｃでは、ブラシ６１ｂ，７１ｂがディスク本体２とレンズ９ｂとの間に挟み込まれてレンズクリーナ１の回転が阻害される事態や、レンズ９ｂに対してレンズクリーナ１Ｂ〜１Ｄの回転方向に沿った大きな力が加わる事態が回避される。
【００６５】
また、乾式のレンズクリーナ１について説明したが、本考案に係るレンズクリーナはこれに限定されず、湿式のレンズクリーナに本考案の構成を適用することができる。さらに、３つのクリーニング部３ａ〜３ｃを有するレンズクリーナ１について説明したが、１枚のレンズクリーナに配設するクリーニング部３の数はこれに限定されない。また、本考案における両払拭体を回転方向に沿って並べて配設した例について説明したが、本考案はこれに限定されず、両払拭体の配設位置をディスク本体の半径方向において異ならせた構成を採用することもできる。さらに、本考案における第２の払拭体に相当するブラシ１１ａの下流側に長い長溝状の凹部５を有するレンズクリーナ１について説明したが、本考案における凹部の平面形状（開口形状）はこれに限定されず、少なくとも第２の払拭体の配設領域と、その配設領域よりも下流側の領域とを含む領域が含まれる限り、例えば、ブラシ１１ａの配設領域を取り巻くようにして平面視円形状に形成することもできる。
【００６６】
また、回転方向における上流側に第１の払拭体を配設すると共に回転方向における下流側に第２の払拭体を配設した構成について説明したが、本考案はこれに限定されず、回転方向における下流側に第１の払拭体を配設すると共に回転方向における上流側に第２の払拭体を配設する構成を採用することもできる。この構成を採用する場合、両払拭体の間に本考案における第２の長さ（第２の払拭体の一面からの突出長）以上の長さの隙間を設けることで、レンズ９ｂ等に当接して倒れた第２の払拭体の第１の払拭体に接触しての倒れ込みが阻害される事態を回避することができる。さらに、１つの凹部５の底面に両払拭体（ブラシ１１ａ，１１ｂ）を配設したレンズクリーナ１について説明したが、本考案はこれに限定されず、別個独立して形成した凹部の底面に各払拭体をそれぞれ配設する構成を採用することができる。
【図面の簡単な説明】
【００６７】
【図１】記録面２ａ側から見たレンズクリーナ１の平面図である。
【図２】レンズクリーナ１におけるクリーニング部３ａ〜３ｃおよびその近傍のディスク本体２の平面図である。
【図３】レンズクリーナ１におけるクリーニング部３およびその近傍のディスク本体２の回転方向に沿った断面図である。
【図４】レンズ９ａに接触した状態のクリーニング部３およびその近傍のディスク本体２の回転方向に沿った断面図である。
【図５】レンズ９ｂに接触した状態のクリーニング部３およびその近傍のディスク本体２の回転方向に沿った断面図である。
【図６】レンズクリーナ１Ａにおけるクリーニング部２３およびその近傍のディスク本体２の回転方向に沿った断面図である。
【図７】レンズクリーナ１Ｂにおけるクリーニング部５３およびその近傍のディスク本体２の回転方向に沿った断面図である。
【図８】レンズクリーナ１Ｂにおけるクリーニング部５３およびその近傍のディスク本体２の平面図である。
【図９】レンズクリーナ１Ｃにおけるクリーニング部５３Ａおよびその近傍のディスク本体２の回転方向に沿った断面図である。
【図１０】レンズクリーナ１Ｄにおけるクリーニング部５３Ｂおよびその近傍のディスク本体２の回転方向に沿った断面図である。
【符号の説明】
【００６８】
１，１Ａ〜１Ｄ  レンズクリーナ
２  ディスク本体
２ａ  記録面
３ａ〜３ｃ，２３，５３，５３Ａ，５３Ｂ  クリーニング部
５  凹部
９ａ，９ｂ  レンズ
１１  束体１１
１１ａ，１１ｂ，４１ａ，４１ｂ，６１ａ，６１ｂ，７１ａ，７１ｂ，８１ａ，８１ｂ  ブラシ
１２  固定用シール
６１，７１，８１  織布
Ｌ１〜Ｌ３，Ｌ３ａ，Ｌ４，Ｌ４ａ  長さ
Ｌ５  直径
Ｌ６，Ｌ７  距離
Ｌ８  幅
【図１】
0003128359.tif 000003
【図２】
0003128359.tif 000004
【図３】
0003128359.tif 000005
【図４】
0003128359.tif 000006
【図５】
0003128359.tif 000007
【図６】
0003128359.tif 000008
【図７】
0003128359.tif 000009
【図８】
0003128359.tif 000010
【図９】
0003128359.tif 000011
【図１０】
0003128359.tif 000012